(57)【要約】【課題】走行する磁気テープが幅方向に移動することによる磁気テープの幅方向変動を測定することを目的とする。【解決手段】磁気テープＭＴを幅方向に規制しない部分において、走行する磁気テープＭＴの一部を磁化する固定された書込ヘッドＨ１と、書込ヘッドＨ１の下流に設置され、磁気テープＭＴの幅方向を規制するガイド１４，１４と、ガイド１４，１４により幅方向を規制されたテープガイド部において、磁気テープＭＴの情報を読み取る固定された読取ヘッドＨ２とから構成する。【選択図】　　　図１
2004071135.tif 000002
【特許請求の範囲】
【請求項１】
磁気テープを幅方向に規制しない部分において、走行する磁気テープの一部を磁化する固定された第１書込用磁気ヘッドと、前記第１書込用磁気ヘッドの下流に設置され、磁気テープの幅方向を規制する第１テープガイド部と、前記第１テープガイド部において前記磁気テープの情報を読み取る固定された第１読取用磁気ヘッドとを有することを特徴とする走行する磁気テープの幅方向変動測定機。
【請求項２】
走行する磁気テープの幅方向の移動を規制する第２テープガイド部と、前記第２テープガイド部において、前記磁気テープの一部を磁化する固定された第２書込用磁気ヘッドと、前記第２テープガイド部の下流に設置され、磁気テープの幅方向を規制しない部分において前記磁気テープの情報を読み取る固定された第２読取用磁気ヘッドとを有することを特徴とする走行する磁気テープの幅方向変動測定機。
【発明の詳細な説明】
【０００１】
【発明の属する技術分野】
本発明は、磁気テープの走行時に、磁気テープが幅方向に移動することにより生じる磁気テープの幅方向の変動を測定する磁気テープの走行の幅方向変動測定機に関する。
【０００２】
【従来の技術】
近年のコンピュータ用データストレージとして利用されている磁気テープは、記録容量を増大させるために記録密度を向上させている。そのため、データが書き込まれるデータトラックは極めて狭くなっており、例えば、トラック幅が１０μ〜２０μｍ程度の磁気テープも存在する。このようにデータトラックの幅が狭くなると、磁気テープに対しデータの記録又は再生を行うドライブにおいて、磁気テープの走行時に生ずる幅方向の振れはデータの記録／再生の信頼性に影響を与えることから、磁気テープの幅方向の振れは極力小さくするのが望ましい。したがって、磁気テープカートリッジや、磁気テープドライブの開発の際に、この磁気テープの幅方向の振れを測定する機会が頻繁に生じる。
そして、従来、この磁気テープの幅方向の振れを測定する際には、フォトインタラプタなどを用いて、ドライブで走行中の磁気テープのエッジ位置を測定していた（特許文献１参照）。
【０００３】
【特許文献１】
特開２０００―３３９７９２号公報（段落００１４〜００２０等）
【０００４】
【発明が解決しようとする課題】
しかし、磁気テープのエッジ位置の変動は、磁気テープが張力分布等を要因として幅方向に移動することによる変動と、磁気テープの幅の誤差を原因とする変動とが合成された変動である。すなわち、磁気テープの幅は完全には一定ではないため、このような形状の誤差によっても、エッジの位置は変動する。したがって、従来の幅方向の振れの測定方法では、走行中の磁気テープが幅方向に移動することにより生じる振れのみを測定することはできなかった。
そこで、本発明では、磁気テープが幅方向に移動することにより生じる幅方向の変動を測定するため、走行する磁気テープの幅方向変動測定機を提供することを目的とする。
【０００５】
【課題を解決するための手段】
前記した課題を解決するため、第１の発明は、走行する磁気テープの幅方向変動測定機であって、磁気テープを幅方向に規制しない部分において、走行する磁気テープの一部を非接触で磁化する固定された第１書込用磁気ヘッドと、前記第１書込用磁気ヘッドの下流に設置され、磁気テープの幅方向を規制する第１テープガイド部と、前記第１テープガイド部において前記磁気テープの情報を読み取る固定された第１読取用磁気ヘッドとを有することを特徴とする。
【０００６】
このような測定機によれば、磁気テープを幅方向に規制しない部分において、第１書込用磁気ヘッドにより非接触で磁気テープの一部が磁化される。ここで、磁気ヘッドが磁気テープに接触することにより、磁気テープの位置が変わることを防ぐため、できれば非接触で磁気テープを磁化するのが望ましい。このように、幅方向に位置規制されない部分で固定された磁気ヘッドにより磁化されることで、磁気テープの張力分布等による幅方向の振れを許容したまま情報が書き込まれる。つまり、磁気テープのエッジを基準として見ると、情報は、磁気テープの幅方向の移動等に応じてうねったラインで書き込まれる。
なお、本明細書において、「規制する」というのは、磁気テープの幅方向を厳格に位置決めするという意味であり、幅方向の変動が１μｍ未満であることを意味する。一方、「規制しない」というのは、厳格な位置決めをしないということであり、厳格な位置決めより十分大きく変動できるような状態で磁気テープを規制する場合については、「規制しない」に含まれる。
【０００７】
そして、磁化された磁気テープは、第１書込用磁気ヘッドの下流において、第１テープガイド部に幅方向を位置規制されつつ第１読取用磁気ヘッドにより磁気テープの情報を読み取られる。つまり、第１書込用磁気ヘッドにより磁化されて書き込まれた情報を読み取ることで、例えばその情報の出力変動により、情報がどれだけ幅方向に振れているかを測定することができる。この書き込まれた情報の振れは、磁気テープの移動を要因として発生したものであるから、結果として、その磁気テープを磁気テープドライブ装置等で走行させたときに磁気テープの移動を要因として生じる幅方向の変動を測定することができる。
【０００８】
また、第２の発明は、走行する磁気テープの幅方向変動測定機であって、走行する磁気テープの幅方向の移動を規制する第２テープガイド部と、前記第２テープガイド部において、前記磁気テープの一部を磁化する固定された第２書込用磁気ヘッドと、前記第２テープガイド部の下流に設置され、磁気テープの幅方向を規制しない部分において前記磁気テープの情報を読み取る固定された第２読取用磁気ヘッドとを有することを特徴とする。
【０００９】
このような測定機によれば、第２テープガイド部において磁気テープの幅方向の移動が規制された状態で第２書込用磁気ヘッドにより磁気テープが磁化されて情報が書き込まれる。つまり、磁気テープのエッジから所定距離に情報が書き込まれる。
そして、磁気テープの幅方向を規制しない部分において、第２読取用磁気ヘッドにより情報を読み取る。このとき、できれば、非接触で情報を読み取ると、第２読取用磁気ヘッドと磁気テープの接触による影響を無くすことができる。
磁気テープの幅方向を規制しない部分では、磁気テープの張力分布等に応じ、磁気テープが蛇行するので磁化された情報が蛇行したラインを走行する。したがって、固定された第２読取用磁気ヘッドにより情報を読み取ると、出力の変動などにより、情報の幅方向の振れが測定できる。その結果、その磁気テープを磁気テープドライブ装置等で走行させたときに磁気テープの移動を要因として生じる幅方向の変動を測定することができる。
【００１０】
【発明の実施の形態】
次に、本発明の実施形態について適宜図面を参照しながら説明する。
〔第１実施形態〕
図１は、本発明の第１実施形態に係る磁気テープの幅方向変動測定機（以下、単に「測定機」という。）の全体構成図であり、図２は、図１におけるテープガイド部の拡大斜視図である。
【００１１】
図１に示すように、測定機１０には、磁気テープＭＴを送り出すための送出リール１１と、送出リール１１から磁気テープＭＴを巻き取るための巻取リール１２とが備えられる。送出リール１１の下流側で且つ、巻取リール１２の上流側には、磁気テープＭＴを非接触で磁化して信号（情報）を書き込むための書込ヘッド（第１書込用磁気ヘッド）Ｈ１が配置されている。また、書込ヘッドＨ１と巻取リール１２との間には、書込ヘッドＨ１によって書き込まれた信号を検査するための読取ヘッド（第１読取用磁気ヘッド）Ｈ２が設けられる。そして、読取ヘッドＨ２の上流側と下流側とに、磁気テープＭＴを読取ヘッドＨ２に沿わせて走行させるためのガイド１４，１４が設けられている。このガイド１４，１４により、磁気テープＭＴが幅方向に位置規制されている範囲が、第１テープガイド部に相当する。また、読取ヘッドＨ２は、読み取った信号をもとにして、磁気テープＭＴが移動したことによる幅方向の変動を求める幅方向変動演算部１５に接続されている。なお、測定機１０には、磁気テープＭＴの張力を所定張力に調整するための張力調節装置（図示せず）、張力検出装置Ｔの他、磁気テープＭＴをガイドするためのガイドローラＲ…等の各種装置が備えられている。
【００１２】
書込ヘッドＨ１は、磁気テープＭＴを幅方向に規制しない部分において、走行する磁気テープの一部を磁化する磁気ヘッドである。書込ヘッドＨ１は、測定機１０のパネルサイド１０ａに固定されている。書込ヘッドＨ１の上流及び下流は、ガイドローラ１３，１３により走行方向が案内されている。ガイドローラ１３，１３は、磁気テープＭＴを幅方向には規制しないように、フランジが設けられていない。磁気テープＭＴが走行経路から脱落するのを防止するために、ガイドローラ１３，１３にフランジを設けて磁気テープＭＴの幅方向の位置を規制する場合には、磁気テープＭＴとの間に十分なクリアランスを持たせるように構成する。例えば、ガイド１４，１４よりも大きなクリアランスを磁気テープＭＴとの間に有していればよく、フランジ間隔と磁気テープＭＴの幅の差が１０μｍ以上になるように設定する。
【００１３】
図２は、第１実施形態に係る第１テープガイド部の拡大斜視図である。図２に示すように、ガイド１４，１４は測定機１０のパネルサイド１０ａ（図１参照）に取り付けられる。
【００１４】
ガイド１４，１４の磁気テープＭＴに対する接触面１４ａは磁気テープＭＴの記録面に滑らかに摺動させるため円弧状となっており、磁気テープＭＴが接触面１４ａに密着しないよう、接触面１４ａには空気を噴き出す多数の穴１４ｅが設けられており、穴１４ｅから空気を噴き出すことにより磁気テープＭＴを浮上させている。ガイド１４，１４のパネルサイド１０ａ側の端部には、磁気テープＭＴの走行方向に沿わせてフランジ１４ｄが形成される。フランジ１４ｄのヒューマンサイド（パネルサイド側エッジと反対側）の端面には、樹脂製の接触子１４ｃが取り付けられていて、磁気テープＭＴのパネルサイド側エッジ（基準エッジ）ＭＴ１を案内させるエッジ案内面１４ｂを構成している。なお、接触子１４ｃは、磁気テープとの摺動による摩耗防止のため、セラミックスにより形成するのが望ましい。
【００１５】
そして、各ガイド１４のヒューマンサイド側には、磁気テープＭＴの損傷を防止すべく、例えば、弾性体１６が取り付けられる。
【００１６】
弾性体１６は薄い金属板（ステンレス薄板等）で形成されており、弾性体の取り付け基部１６ａは、各ガイド１４の上面とこれに着座する取り付けブロック１７とに挟持される。弾性体１６の先端側部は、複数の腕１６ｂとなっており、各腕１６ｂの先端部には樹脂製、望ましくはセラミックス製の接触子１６ｃが取り付けられる。前記弾性体１６の各接触子１６ｃと接触子１４ｃのエッジ案内面１４ｂとの間隔は、蛇行、幅変動に起因する磁気テープＭＴのダメージを防止するため、磁気テープＭＴの蛇行、幅変動の最大幅に基づいて決定される。もちろん、この間隔に適宜余裕を見込んでもよい。磁気テープＭＴと、エッジ案内面１４ｂ及び接触子１６ｃとのクリアランスは、例えば０〜１μｍに設定するのが望ましい。また、弾性体１６は非常に弱い力で磁気テープＭＴのヒューマンサイド側エッジＭＴ２に当たって磁気テープＭＴを規制する。例えば、弾性体１６の各接触子１６ｃで磁気テープＭＴを規制する力（付勢力）が０．４９×１０−２〜７．８４×１０−２Ｎとなるように、各腕１６ｂのバネ係数を設定するとよい。
【００１７】
読取ヘッドＨ２は、書込ヘッドＨ１で書き込んだ信号を読み取るための磁気ヘッドであり、パネルサイド１０ａに固定されている。読取ヘッドＨ２の読取素子は、書込ヘッドＨ１の書込素子に対応した位置に配置されており、磁気テープＭＴの走行に振れが無かった場合には、書込ヘッドＨ１で書き込んだ信号をトレースして、最大の出力を得ることができる。
【００１８】
このようなガイド１４，１４によれば、磁気テープＭＴの幅方向の位置が極めて正確に規制された状態で、固定された読取ヘッドＨ２により、パネルサイド側エッジＭＴ１から一定距離の位置で信号が読み取られる。
【００１９】
幅方向変動演算部１５は、磁気テープＭＴが書込ヘッドＨ１の位置で移動することにより、どれだけ幅方向に振れたかを演算する手段である。例えば、幅方向変動演算部１５は、比較、演算、記憶等をすることができる一般的なコンピュータや、専用の回路により構成され、例えば、読取ヘッドＨ２で読み取った信号の出力を逐次記憶装置に蓄積していき、一定時間内に変動した出力の幅を、磁気テープＭＴの幅方向の移動量に換算する。
【００２０】
以上のような測定機１０による作用効果を、図１及び図３を参照しながら説明する。図３は、図１のＺ矢視図である。
図１に示すように、まず、送出リール１１から送り出された磁気テープＭＴは、ガイドローラＲ，・・・に案内され、張力検査装置Ｔを通り、ガイドローラ１３，１３に走行方向を案内される。磁気テープＭＴは、ガイドローラ１３，１３に、幅方向は規制されず、多少幅方向に振れながら、固定された書込ヘッドＨ１により信号が書き込まれる。
【００２１】
そして、信号が書き込まれた磁気テープＭＴは、さらに下流へ走行し、第１テープガイド部へ入る。第１テープガイド部では、ガイド１４，１４により幅方向を正確に規制されつつ、固定された読取ヘッドＨ２により信号を読み取る。
【００２２】
ここで、図３に示すように、書込ヘッドＨ１は固定されていることから、書込ヘッドＨ１で書き込まれた信号Ｓ１は、磁気テープの振れに応じて、磁気テープＭＴのエッジＭＴ１，ＭＴ２に対し蛇行して記録される。一方、第１テープガイド部では、ガイド１４，１４により、磁気テープＭＴの幅方向への移動が正確に規制されているので、固定された読取ヘッドＨ２により読み取られた信号の出力は、信号Ｓ１の蛇行に応じて変動する。
【００２３】
この変動を、幅方向変動演算部１５により、磁気テープＭＴの幅方向の移動量に換算すると、書込ヘッドＨ１の位置において幅方向に移動した量を測定することができる。そして、この移動量を幅方向変動演算部１５において蓄積し、例えば一定時間あたりの移動量として数値化すれば、その磁気テープＭＴの性能として評価することができる。
【００２４】
〔第２実施形態〕
次に、本発明の第２実施形態について説明する。図４は、本発明の第２実施形態に係る測定機の全体構成図である。なお、第１実施形態と同一の部分については、同一の符号を付し、詳細な説明を省略する。
【００２５】
図４に示すように、測定機１０には、磁気テープＭＴを送り出すための送出リール１１と、送出リール１１から磁気テープＭＴを巻き取るための巻取リール１２とが備えられる。送出リール１１の下流側で且つ、巻取リール１２の上流側には、磁気テープＭＴを磁化して信号（情報）を書き込むための書込ヘッド（第２書込用磁気ヘッド）Ｈ３が配置されている。そして、書込ヘッドＨ３の上流側と下流側とに、磁気テープＭＴを書込ヘッドＨ３に沿わせて走行させるためのガイド１４，１４が設けられている。このガイド１４，１４により、磁気テープＭＴが幅方向に位置規制されている範囲が、第２テープガイド部に相当する。また、書込ヘッドＨ３の下流側にあるガイド１４と巻取リール１２との間には、書込ヘッドＨ３によって書き込まれた信号を検査するための読取ヘッド（第２読取用磁気ヘッド）Ｈ４が設けられる。また、読取ヘッドＨ４は、読み取った信号をもとにして磁気テープＭＴが移動したことによる幅方向の変動を求める幅方向変動演算部２５に接続されている。なお、測定機１０には、磁気テープＭＴの張力を所定張力に調整するための張力調節装置（図示せず）、張力検出装置Ｔの他、磁気テープＭＴをガイドするためのガイドローラＲ…等の各種装置が備えられている。
【００２６】
ガイド１４，１４の詳細については、第１実施形態と同様であるので説明を省略する。
【００２７】
書込ヘッドＨ３は、ガイド１４，１４により磁気テープＭＴが幅方向に規制されている部分において、走行する磁気テープの一部を磁化する磁気ヘッドである。書込ヘッドＨ３は、測定機１０のパネルサイド１０ａに固定されている。
【００２８】
読取ヘッドＨ４は、磁気テープＭＴを幅方向に規制しない部分において、走行する磁気テープＭＴから信号を読み取る磁気ヘッドである。読取ヘッドＨ４は、測定機１０のパネルサイド１０ａに固定されている。読取ヘッドＨ４は、磁気テープＭＴと摺動するように設置してもよいが、読取の出力が十分であれば、非接触で磁気テープＭＴの信号を読み取るように設置するのが望ましい。こうすると、磁気テープＭＴと読取ヘッドＨ４との接触による磁気テープＭＴの変動の影響を除去することができるからである。
【００２９】
読取ヘッドＨ４の上流及び下流は、ガイドローラ１３，１３により、走行が案内されている。ガイドローラ１３，１３、は第１実施形態の場合と同様に、磁気テープＭＴを幅方向には規制しないように、フランジが設けられていない。磁気テープＭＴが走行経路から脱落するのを防止するために、ガイドローラ１３，１３にフランジを設けて磁気テープＭＴの幅方向の位置を規制する場合には、磁気テープＭＴとの間に十分なクリアランスを持たせるように構成する。例えば、ガイド１４，１４よりも大きなクリアランスを磁気テープＭＴとの間に有していればよく、フランジ間隔と磁気テープＭＴの幅の差が１０μｍ以上になるように設定する。
【００３０】
幅方向変動演算部２５は、磁気テープＭＴが読取ヘッドＨ４の位置で移動することにより、どれだけ幅方向に振れたかを演算する手段である。例えば、幅方向変動演算部２５は、比較、演算、記憶等をすることができる一般的なコンピュータや、専用の回路により構成され、例えば、読取ヘッドＨ４で読み取った信号の出力を逐次記憶装置に蓄積していき、一定時間内に変動した出力の幅を、磁気テープＭＴの幅方向の移動量に換算する。
【００３１】
以上のような測定機１０による作用効果を、図４及び図５を参照しながら説明する。図５は、図４のＺ矢視図である。
図４に示すように、まず、送出リール１１から送り出された磁気テープＭＴは、ガイドＲ，・・・に案内され、張力検査装置Ｔを通り、第２テープガイド部であるガイド１４，１４に走行方向を案内される。そして、磁気テープＭＴは、ガイド１４，１４により、幅方向を正確に規制されつつ、固定された書込ヘッドＨ３により信号Ｓ２が書き込まれる。書き込まれた信号Ｓ２は、図５に示すように、磁気テープＭＴのエッジＭＴ１、ＭＴ２から一定距離の位置に書き込まれる。
【００３２】
そして、信号が書き込まれた磁気テープＭＴは、さらに下流へ走行し、ガイドローラ１３，１３により走行方向を案内される。磁気テープＭＴは、ガイドローラ１３，１３に幅方向は規制されないので、図５に示すように、信号Ｓ２は、磁気テープＭＴの振れに応じて幅方向に変動する。そして、固定された読取ヘッドＨ４により信号Ｓ２を読み取る。
【００３３】
読取ヘッドＨ４により読み取られた信号の出力は、信号Ｓ２の変動に応じて変動する。この変動を、幅方向変動演算部２５により、磁気テープＭＴの幅方向の移動量に換算すると、読取ヘッドＨ４の位置において幅方向に移動した量を測定することができる。そして、この移動量を幅方向変動演算部２５において蓄積し、例えば一定時間あたりの移動量として数値化すれば、その磁気テープＭＴの性能として評価することができる。
【００３４】
以上、本発明の実施形態について説明したが、本発明は前記実施形態には限定されず、適宜変形して実施することが可能である。
【００３５】
【発明の効果】
以上詳述したとおり、本発明によれば、磁気テープが幅方向に移動することによる振れを測定することができる。
【図面の簡単な説明】
【図１】第１実施形態に係る測定機の全体構成図である。
【図２】図１におけるテープガイド部の拡大斜視図である。
【図３】図１におけるＺ矢視図である。
【図４】第２実施形態に係る測定機の全体構成図である。
【図５】図４におけるＺ矢視図である。
【符号の説明】
１０　　　測定機
１３　　　ガイドローラ
１４　　　ガイド
１５，２５　幅方向変動演算部
Ｈ１，Ｈ３　書込ヘッド
Ｈ２，Ｈ４　読取ヘッド
ＭＴ　　磁気テープ
【図１】
2004071135.tif 000003
【図２】
2004071135.tif 000004
【図３】
2004071135.tif 000005
【図４】
2004071135.tif 000006
【図５】
2004071135.tif 000007